(57)【要約】      （修正有）【課題】ジャカード織機の特徴を生かすことによって仕立てることのできるジャカード織りネクタイ生地による洋服を提供する。【解決手段】ジャカード織りネクタイ生地でなるパーツＰを組み合わせることによって仕立てられている。パーツＰが、平織組織及び綾織組織のうちの一方又は両方の織物組織を含んでいる。パーツＰの織物組織を構成している緯糸２にもろ撚り糸が含まれていてもよい。パーツＰの織物組織を構成している緯糸２にポリエステル糸が含まれていてもよい。パーツＰの縫着箇所に、織物組織のほつれを抑制するテープ体が貼着されていることが望ましい。【選択図】図１
0003200193.tif 000002
【実用新案登録請求の範囲】
【請求項１】
ジャカード織りネクタイ生地でなるパーツを組み合わせることによって仕立てられていることを特徴とするジャカード織りネクタイ生地による洋服。
【請求項２】
上記パーツが、平織組織及び綾織組織のうちの一方又は両方の織物組織を含んでいる請求項１に記載したジャカード織りネクタイ生地による洋服。
【請求項３】
上記パーツの織物組織を構成している緯糸にもろ撚り糸が含まれている請求項１又は請求項２に記載したジャカード織りネクタイ生地による洋服。
【請求項４】
上記パーツの織物組織を構成している緯糸にポリエステル糸が含まれている請求項１ないし請求項３のいずれか１項に記載したジャカード織りネクタイ生地による洋服。
【請求項５】
上記パーツの縫着箇所に、織物組織のほつれを抑制するテープ体が貼着されている請求項１ないし請求項４のいずれか１項に記載したジャカード織りネクタイ生地による洋服。
【考案の詳細な説明】
【技術分野】
【０００１】
本考案は、ジャケット、パンツ、ベストといった洋服、特に、一般的な洋服には見られないような複雑な柄模様を織り出すことを容易にするための対策、言い換えるとジャカード織機を用いて得られるジャカード織りネクタイ生地による洋服に関する。
【背景技術】
【０００２】
基本的な織物組織には、平織、綾織及び朱子織の各織物組織が知られており、これらは「織物の三元組織」と呼ばれている。図６〜図８には平織、綾織、朱子織の各織物組織を説明的に示してあり、図６は平織、図７は綾織、図８は朱子織の各織物組織の一例を示した説明図である。
【０００３】
図６の平織組織Ａでは、経糸１と緯糸２とが同数ずつ交互に規則的に交差している。経糸１と緯糸２とは基本的には図示のように１本ずつ交差しているので、経糸１については、緯糸２の上に乗り上がる交差点（経糸浮き点Ｐ１）と緯糸２の下に沈み込む交差点（経糸沈み点Ｐ２）とが規則的に交互に現れ、同様に、緯糸２についても、経糸１の上に乗り上がる交差点（緯糸浮き点Ｐ１０）と経糸１の下に沈み込む交差点（緯糸沈み点Ｐ２０）とが規則的に交互に現れる。経糸浮き点Ｐ１と緯糸沈み点Ｐ２０、経糸沈み点Ｐ２と緯糸浮き点Ｐ１０とは、それぞれ同一の箇所に存在する。また、変形された平織組織では、経糸浮き点と経糸沈み点、及び、緯糸浮き点と緯糸沈み点とが、２箇所ずつ又は３箇所ずつ相隣接して、規則的に交互に現れるものも存在する。この平織組織Ａは、経糸１と緯糸２との交差箇所が他の２つの織組織に比べて多いために地薄で丈夫であり、硬い風合いを示すことが多い。
【０００４】
図７の綾織組織Ｂでは、経糸１と緯糸２とが同数ずつ交互に規則的に交差している箇所が存在せず、たとえば、経糸１については、相隣接する２つの経糸浮き点Ｐ１，Ｐ１の間に、経糸沈み点Ｐ２が存在しない箇所と１つの経糸沈み点Ｐ２が存在する箇所とが存在し、緯糸２については、相隣接する２つの緯糸浮き点Ｐ１０，Ｐ１０の間に、２つの緯糸沈み点Ｐ２０，Ｐ２０が存在する。経糸浮き点Ｐ１と緯糸沈み点Ｐ２０、経糸沈み点Ｐ２と緯糸浮き点Ｐ１０とは同一箇所に存在する。変形された綾織組織では、相隣接する２つの経糸浮き点の間に、相隣接する３つの経糸沈み点が現れ、相隣接する２つの緯糸浮き点の間に、相隣接する３つの緯糸沈み点が現れるものも存在する。この綾織組織Ｂは、図６の平織組織Ａよりも生地が柔らかくなる織り方であり、経糸１と緯糸２との交差具合によって経糸１による様々な斜紋様（綾目又は斜紋線ともいう。）が現れるという特徴がある。この綾織組織Ｂでは、織糸の撚り方向や斜文様の方向を変化させたり起毛させたりすることにより、斜紋様を目立たせるようにしたり目立たせないようにしたりすることができる。
【０００５】
図８の朱子織組織Ｃでは、経糸浮き点Ｐ１の数が経糸沈み点Ｐ２の数よりも多く、緯糸浮き点Ｐ１０の数が緯糸沈み点Ｐ２０の数よりも少なくなっていて、経糸１だけが生地の表側に出ているように見える。この朱子織組織Ｃは、経糸１と緯糸２とが交差する箇所を、規則的ではあるけれども隣り合わないようにしていて、経糸１による高級感を表面に出しやすく、かつ、経糸１による豊かな光沢を表面に出しやすい織り方であると云われている。
【０００６】
上記した３種類の織物組織Ａ，Ｂ，Ｃは、経糸１の並び群に作り出された空間にシャトルを走行させて緯糸２を通すという力織機や、経糸１の並び群に作り出された空間に空気の噴射力で緯糸２を通すというエアジェット織機といった一般的な力織機を用いて量産されていて、生産された１枚の生地の中には、３種類の織物組織Ａ，Ｂ，Ｃから選択された１種類の織物組織だけが存在している。言い換えると、上記の３種類の織物組織Ａ，Ｂ，Ｃのうちの２つ又は３つの織物組織を同一の生地の中に混在させるという織り方は、上記の一般的な力織機を用いることによっては作り出せない。
【０００７】
一方、ネクタイ生地には複雑な図柄が表現されていることが多い（たとえば、特許文献１参照）。そして、西陣織りなどの複雑な柄模様を有する生地の織物組織として、ジャカード織りが知られている。ジャカード織りは、ジャカード織機を使用して織った織物生地のことを指し、ネクタイ生地などに使われている。また、ジャカード織り機を使うと、１枚の生地の中に、上記した平織、綾織、朱子織などの異なる種類の織物組織を混在させることが可能であるだけでなく、生地の表面に露出する経糸の可視領域（見える面積）や形状を自由に定めることができる。それ故に、ネクタイ生地のような複雑な柄模様を持つ織物組織を作り出すことができる、という特徴を有している。
【先行技術文献】
【特許文献】
【０００８】
【特許文献１】実用新案登録第３０３４６７５号公報
【考案の概要】
【考案が解決しようとする課題】
【０００９】
本考案は以上の状況に鑑みてなされたものであり、ジャカード織機の特徴を生かすことによって仕立てることのできるジャカード織りネクタイ生地による洋服を提供することを目的としている。
【００１０】
また、本考案は、ジャカード織機を使って複雑な柄模様を表出させた生地の強度を向上させるのに有効な対策を講じたジャカード織りネクタイ生地による洋服を提供することを目的としている。
【００１１】
さらに、本考案は、ジャカード織機を使って複雑な柄模様を表出させた生地を縫着する際の作業性を向上させることのできるジャカード織りネクタイ生地による洋服を提供することを目的としている。
【課題を解決するための手段】
【００１２】
本考案に係るジャカード織りネクタイ生地による洋服は、ジャカード織りネクタイ生地でなるパーツを組み合わせることによって仕立てられている。そして、本考案では、上記パーツが、平織組織及び綾織組織のうちの一方又は両方の織物組織を含んでいるものであってもよい。
【００１３】
また、本考案では、上記パーツの織物組織を構成している緯糸に、もろ撚り糸やポリエステル糸が含まれていることが望ましい。
【００１４】
さらに、本考案では、上記パーツの縫着箇所に、織物組織のほつれを抑制するテープ体が貼着されているものであってもよい。  
【考案の効果】
【００１５】
以上のように、本考案によると、ジャカード織りネクタイ生地による洋服が、ジャカード織りネクタイ生地でなるパーツを組み合わせることによって仕立てられていることにより、ジャカード織機を使うことによって表出される複雑な柄模様や光沢を備えた洋服を容易に提供することが可能になるだけでなく、平織や綾織といった異なる種類の織物組織が混在するパーツを組み合わせることによって得られる奇抜なデザインや柄模様の洋服を容易に提供することが可能になる。
【００１６】
また、上記パーツの織物組織を構成している緯糸にもろ撚り糸が含まれているものでは、パーツ自体の強度が高まり、しかも、縫着工程に悪影響を与える生地のほつれや不要な毛羽立ちが抑制された状態で縫着工程が行われているので、生地の強度を向上させることができ、しかも、生地からのほつれや不要な毛羽立ちの少ない洋服を提供することが可能になる。
【００１７】
さらに、上記パーツの織物組織を構成している緯糸にポリエステル糸が含まれているものでは、パーツが緯糸によって補強されたものになるので、生地の強度を向上させた洋服を提供することが可能になる。
【００１８】
さらに、上記パーツの縫着箇所に、織物組織のほつれを抑制するテープ体が貼着されているものでは、縫着工程に悪影響を与える生地のほつれや毛羽立ちが抑制されたものになり、縫着工程を円滑に行って仕立てのよい洋服を提供することが可能である。
【図面の簡単な説明】
【００１９】
【図１】本考案の実施形態に係る洋服に用いられるパーツを例示した説明図である。
【図２】本考案の実施形態に係る洋服に用いられるパーツのほつれなどの防止策を講じた事例を示した説明図である。
【図３】織物に用いられる一般的な糸の説明図である。
【図４】もろ撚り糸の説明図である。
【図５】パーツに用いた緯糸の説明図である。
【図６】平織組織の説明図である。
【図７】綾織組織の説明図である。
【図８】朱子織組織の説明図である。
【考案を実施するための形態】
【００２０】
図１は本考案の実施形態に係る洋服に用いられるパーツＰを例示した説明図である。このパーツＰは、図６を参照して説明した平織り組織Ａを有する領域（平織領域）Ｚ１と、図７を参照して説明した綾織り組織Ｂを有する領域（綾織領域）Ｚ２とを含んでいる。
【００２１】
平織領域Ｚ１では、図１の説明的拡大部分Ｅ１に示したように、経糸１と緯糸２とが１本ずつ交互に規則的に交差していて、経糸１については、経糸浮き点Ｐ１と経糸沈み点Ｐ２とが規則的に交互に現れ、同様に、緯糸２についても、緯糸浮き点Ｐ１０緯糸沈み点Ｐ２０とが規則的に交互に現れている。図１の他の説明的拡大部分Ｅ２では、円弧状の模様輪郭線Ｌの右側部分が平織領域Ｚ１になっている。また、このパーツＰでは、経糸１に緯糸２よりも太い糸を用いている。そのため、パーツＰの表面では、経糸１が緯糸２よりも目立ち、緯糸２はあまり目には見えない状態になっている。
【００２２】
綾織領域Ｚ２では、経糸１と緯糸２とが同数ずつ交互に規則的に交差している箇所が存在せず、たとえば、経糸１については、相隣接する２つの経糸浮き点Ｐ１，Ｐ１の間に、経糸沈み点Ｐ２が存在しない箇所と１つの経糸沈み点Ｐ２が存在する箇所とが存在し、緯糸２については、相隣接する２つの緯糸浮き点Ｐ１０，Ｐ１０の間に、２つの緯糸沈み点Ｐ２０，Ｐ２０が存在する。そして、経糸１と緯糸２との交差具合によって経糸１による様々な斜紋様が現れている。また、このパーツＰでは、経糸１に緯糸２よりも太い糸を用いている。さらに加えて、上記パーツＰでは、経糸１と緯糸２との太さが異なるだけでなく、それらに異なる色が付与されている。そのため、パーツＰの表面では、経糸１が緯糸２よりも顕著に目立ち、緯糸２はほとんど目には見えない状態になっていて、経糸１によって形成された一定の柄模様がパーツＰの表面にくっきりと現れている。
【００２３】
上記したようなパーツＰ、又は、そのようなパーツＰと同様又は類似の織物組織を持つ生地はネクタイ生地として好ましく多用されている。そして、そのようなネクタイ生地の織物組織は、ジャカード織機を使用して織られたジャカード織りとして知られている。そして、ジャカード織り機を使うと、上記パーツＰに見られるように、１枚の生地の中に、平織や綾織などの異なる種類の織物組織を混在させることが容易に可能であるだけでなく、生地の表面に露出する経糸の可視領域（見える面積）や形状を自由に定めることができる。それ故に、ネクタイ生地のような複雑な柄模様を持つ織物組織を表現することができる。
【００２４】
ところで、図３に示した説明図によって判るように、織物に使われる経糸１や緯糸２は、２本以上（図例では３本）の同じ太さの細い糸又はフィラメント（以下「原糸という」）３１を引き揃えて、そのものにＳ撚り（右撚り）又はＺ撚り（左撚り）の撚りをかけることによって作られている。その一方で、図４に示した説明図によ示したように、織物にもろ撚り糸３０を用いることもある。このもろ撚り糸３０は、片撚り（下撚り）のかかった糸３２を２本以上引き揃え、それらの片撚りとは反対方向の撚り（上撚り）をかけた糸である。
【００２５】
そこで、上記したパーツＰの緯糸２には、図５に説明的に示したものを用いている。この緯糸２は、図４に示した１本のもろ撚り糸３０と図３に示した２本の原糸３１とを引き揃えて撚り（上撚り）をかけることによって作られている。このように、パーツＰの緯糸２がもろ撚り糸３０を有していると、パーツＰのベースを形作っている緯糸２の強度が向上し、併せて、緯糸２からの毛羽立ちが抑制されるという好ましい作用が発揮される。そして、緯糸２の強度が向上すると、パーツＰを用いた洋服の耐擦れ性が改善される。また、緯糸２からの毛羽立ちが抑制されると、パーツＰを組み合わせてミシンなどで縫着するときの作業性が改善される。なお、パーツＰの緯糸２がもろ撚り糸３０を有していることと併せて、パーツＰの経糸１がもろ撚り糸３０を有していてもよい。
【００２６】
また、上記したパーツＰの経糸１や緯糸２には、ポリエステル糸を用いている。ポリエステル糸は、絹糸などに比べて強度が大きい割にしなやかさに優れている。したがって、このパーツＰは、しなやかさを残しつつ、強度の向上が図られているということが云える。
【００２７】
図１に例示したようなパーツＰは、長尺の生地から所定形状に裁断することによって得られる。そして、たとえば、ジャケットを仕立てるときには、そのジャケットの仕立てに必要な形状と数量のパーツＰが裁断工程を経て準備される。そして、それらのパーツＰを組み合わせて必要箇所を縫着することが行われ、そのような縫着工程を経て洋服が仕立てられる。
【００２８】
しかしながら、ジャカード織機を用いて織ったジャカード織りネクタイ生地は、図１に例示したように、パーツＰの耳縁から緯糸２が不規則にほつれたり、経糸１や緯糸２が毛羽だったりすることがある。そのような糸のほつれや毛羽立ちは、その後の工程、たとえばミシンによる縫着工程で、ほつれがミシン針に引掛かかったりして作業を円滑に行うことの障害になる。この障害を回避するための対策を図２に示してある。
【００２９】
図２は本考案の実施形態に係る洋服に用いられるパーツのほつれなどの防止策を講じた事例を示した説明図である。図２のように、生地を裁断することによって得られるパーツＰのほつれやすい箇所や毛羽立ちやすい箇所、たとえばパーツＰの耳縁などの外回りの箇所に、ほつれ防止テープでなるテープ体４０を貼り付け、そうすることによって、ほつれや毛羽立ちを未然に防ぐと共に、ミシンによる縫着位置からのパーツＰの滑脱を防いでおくことが有益である。
【００３０】
本考案に係るジャカード織りネクタイ生地による洋服において、そのパーツＰの織物組織には平織及び綾織のうちの一方又は両方の織物組織が含まれるけれども、朱子織組織を混在させることは好ましくない。なぜなら、朱子織組織はほつれや毛羽立ちを顕著に生じやすいからである。
【符号の説明】
【００３１】
Ｐ  パーツ
Ａ  平織組織
Ｂ  綾織組織
２  緯糸
３０  もろ撚り糸
４０  テープ体
【図１】
0003200193.tif 000003
【図２】
0003200193.tif 000004
【図３】
0003200193.tif 000005
【図４】
0003200193.tif 000006
【図５】
0003200193.tif 000007
【図６】
0003200193.tif 000008
【図７】
0003200193.tif 000009
【図８】
0003200193.tif 000010